(57)【要約】【課題】ビデオデータが検出されない場合、つまり音声データのみを再生する場合には、映像表示機器が完全にオフされるため、現在再生されているトラックナンバーや再生経過時間をユーザが確認することが出来ず、また、再生中のトラックのスキップアップやスキップダウンでも現在のトラック位置を確認できないという課題が残っていた。【解決手段】オーディオデータファイルを再生する場合には、音楽再生モードに移行して映像表示器機をオフし、この状態でキー入力検出部によってキー入力が検出されたときには、映像表示器機をオンするように制御する。【選択図】図4
2009118251.tif 000002
【特許請求の範囲】
【請求項１】
再生ソースのコンテンツ種別を判別するコンテンツ判別部と、リモコンまたは操作部からのキー入力を検出するキー入力検出部と、時間を計測するタイマ部と、制御信号を出力するための制御信号出力部と、制御信号を送信すると共に外部に接続された映像表示装置からの制御信号を受信するための制御信号送受信部と、ＯＳＤ（Ｏｎ  Ｓｃｒｅｅｎ  Ｄｉｓｐｌａｙ）信号を生成するためのＯＳＤ信号生成部と、前記映像表示装置に制御信号を送受信すると共に前記映像表示装置へ映像／音声信号を出力するための接続端子とを備えた記録再生装置において、
前記コンテンツ判別部によって再生ソースがオーディオデータファイルであるかどうかを判別し、
前記コンテンツ判別部によって再生ソースがオーディオデータであると判別されたときには前記ＯＳＤ信号生成部によってオーディオデータファイルに関するＯＳＤ信号を、前記接続端子を介して前記映像表示装置に出力すると共に前記タイマ部によって時間の計測を開始し、
前記タイマ部の計測時間が所定時間を経過したときに、前記制御信号出力部から表示オフ信号を、前記接続端子を介して前記映像表示装置に出力して前記映像表示装置の映像表示をオフするよう前記映像表示装置を制御し、
前記映像表示装置の映像表示がオフした状態から、前記キー入力検出部によってキー入力が検出されたときには、前記制御信号出力部から表示オン信号を、前記接続端子を介して前記映像表示装置に出力して前記映像表示装置の映像表示をオンすると共に、前記ＯＳＤ信号生成部によって前記キー入力の動作指令、オーディオデータファイルの両方またはいずれか一方を表すＯＳＤ信号を、前記接続端子を介して出力して前記映像表示装置に所定時間表示するよう前記映像表示装置を制御することを特徴とする記録再生装置。
【請求項２】
前記映像表示装置は、映像表示部と、前記映像表示部をオンオフするための映像表示オンオフ部と、前記制御信号を送受信すると共に前記映像／音声信号を入力するための接続端子とを有し、前記映像表示装置の接続端子を介して該記録再生装置から前記音楽再生モード信号を受信したときには、前記映像表示オンオフ部によって前記映像表示部をオフし、前記映像表示部の接続端子を介して前記音楽再生モード解除信号を受信したときには、前記映像表示オンオフ部によって映像表示をオンする請求項１に記載の記録再生装置。
【請求項３】
前記記録再生装置および前記映像表示装置が有する接続端子が、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠している接続端子である請求項１乃至２に記載の記録再生装置。
【請求項４】
前記制御信号は、前記接続端子で接続された機器間を相互に制御することが可能なＨＤＭＩ規格に準拠したＣＥＣ（Ｃｏｎｓｕｎｅｒ  Ｅｌｅｃｔｒｏｎｉｃｓ  Ｃｏｎｔｒｏｌ）である請求項１乃至３に記載の記録再生装置。
【請求項５】
再生ソースのコンテンツ種別を判別するコンテンツ判別部と、リモコンまたは操作部からのキー入力を検出するキー入力検出部と、時間を計測するタイマ部と、制御信号を出力するための制御信号出力部と、制御信号を送信すると共に外部に接続された映像表示装置からの制御信号を受信するための制御信号送受信部と、ＯＳＤ（Ｏｎ  Ｓｃｒｅｅｎ  Ｄｉｓｐｌａｙ）信号を生成するためのＯＳＤ信号生成部と、前記映像表示装置に制御信号を送受信すると共に前記映像表示装置へ映像／音声信号を出力するための接続端子とを備えた記録再生装置のシステム制御方法において、
前記コンテンツ判別部によって再生ソースがオーディオデータファイルであるかどうかを判別する第一のステップと、
前記コンテンツ判別部によって再生ソースがオーディオデータであると判別されたときに
は前記ＯＳＤ信号生成部によってオーディオデータファイルに関するＯＳＤ信号を、前記接続端子を介して前記映像表示装置に出力すると共に前記タイマ部によって時間の計測を開始する第二のステップと、
前記タイマ部の計測時間が所定時間を経過したときに、前記制御信号出力部から音楽再生モード信号を、前記接続端子を介して前記映像表示装置に出力して前記映像表示装置の映像表示をオフするよう前記映像表示装置を制御する第三のステップと、
前記映像表示装置が音楽再生モードに移行した状態から、前記キー入力検出部によってキー入力が検出されたときには、前記制御信号出力部から音楽再生モード解除信号を、前記接続端子を介して前記映像表示装置に出力して前記映像表示装置の映像表示をオンすると共に、前記ＯＳＤ信号生成部によって前記キー入力の動作指令、オーディオデータファイルの両方またはいずれか一方を表すＯＳＤ信号を、前記接続端子を介して出力して前記映像表示装置に所定時間表示するよう前記映像表示装置を制御する第四のステップとを有することを特徴とする記録再生装置のシステム制御方法。
【発明の詳細な説明】
【技術分野】
【０００１】
本発明は、記録再生装置および記録再生装置のシステム制御方法に関し、特に外部に接続された映像表示装置を省電力モードに設定するための制御信号を送出する機能を有する記録再生装置および記録再生装置のシステム制御方法に関する。
【背景技術】
【０００２】
従来から、環境問題への配慮から、電気製品の消費電力を抑える技術が検討されている。また、ＤＶＤプレーヤやハードディスクレコーダのような映像再生装置においては、ＣＤオーディオ、ＭＰ３（Ｍｏｖｉｎｇ  Ｐｉｃｔｕｒｅ  Ｅｘｐｅｒｔｓ  Ｇｒｏｕｐ  Ａｕｄｉｏ  ｌａｙｅｒ３）などの音声データのみのコンテンツを、急激に普及し、かつ安価になった高容量記録媒体である光ディスクに記録し、このような音声データのみを再生して楽しむ場合が多くなってきている。ＤＶＤプレーヤやハードディスクレコーダは、映像／音声データを視聴することが主であるため、視聴を楽しむためにテレビジョン受信装置のような音声出力部を有する映像表示装置に接続するのが一般的であり、音声データのみのコンテンツを再生する場合には、映像表示装置における音声出力部から音声を出力し、映像表示においては、現在再生されているトラックナンバーや現在の再生経過時間をユーザに知らせるためのＯＳＤ（Ｏｎ  Ｓｃｒｅｅｎ  Ｄｉｓｐｌａｙ）表示を行っている。
しかし、音声データのみのコンテンツを再生する場合に、このようなＯＳＤ表示を常時行うことは、近年では特に電子機器に求められている消費電力の省電力化を阻害し、環境問題に対しても問題となる。そこで、音声データのみのコンテンツを再生する場合には、自動的に映像表示をオフして消費電力の低減を行う技術が、特許文献１に開示されている。
特許文献１に記載の技術を、図５を参照しながら説明する。図５は映像／音声情報が入力されてから、入力された情報に応じて表示機器のオンオフを制御するためのブロック図を表す。入力部５０１からコンテンツデータが出力され、データ分離部５０２によってオーディオデータとビデオデータに分離される。分離されたオーディオデータはオーディオデコーダ５０６に入力されて復号され、復号されたオーディオデータはデジタルアナログコンバータ５０７に入力されてデジタル信号からアナログ信号に変換される。アナログ信号に変換されたオーディオ信号は、オーディオ出力部５０８によって出力される。一方、データ分離部５０２で分離されたビデオデータはビデオデコーダ５０３とビデオ検出部５０９にそれぞれ出力される。ビデオデコーダ５０３に入力されたビデオデータは復号され、デジタルアナログコンバータ５０４によってデジタル信号からアナログ信号に変換され、ビデオ出力部５０５からビデオ信号が出力される。また、ビデオ検出部５０９は、ビデオデータの有無を検出し、ビデオデータが検出されない場合には、表示機器制御部５１０に対して、表示機器の表示をオフするよう指示する。
【特許文献１】特開２００７−８１７６４号公報
【発明の開示】
【発明が解決しようとする課題】
【０００３】
しかしながら、特許文献１に記載の技術では、ビデオデータが検出されない場合、つまりオーディオデータのみを再生する場合には、映像表示機器が完全にオフされるため、現在再生されているトラックナンバーや再生経過時間をユーザが確認することが出来ない。また、オーディオデータのみを再生しているときに、ユーザがトラックのスキップアップやスキップダウンを行なった場合にも現在のトラック位置を確認できないため、曲名を聞く
ことでしか、現在再生しているオーディオデータを認識することが出来ないため、ユーザにとって不便極まりないという課題が残っていた。
本発明はこのような問題点に鑑みなされたものであり、再生するコンテンツがオーディオデータのみの場合には、外部に接続された映像表示装置の表示をオフして消費電力の省電力化を行い、かつ、ユーザから制御指令があったときには、外部に接続された映像表示装置の表示をオンし、現在再生されているオーディオデータの情報を所定時間表示することで、ユーザにオーディオデータの情報を知らせることが可能な記録再生装置を提供することを目的とする。
【課題を解決するための手段】
【０００４】
前記の目的を達成するために、記録再生装置において、再生ソースのコンテンツ種別を判別するコンテンツ判別部と、リモコンまたは操作部からのキー入力を検出するキー入力検出部と、時間を計測するタイマ部と、制御信号を出力するための制御信号出力部と、制御信号を送信すると共に外部に接続された映像表示装置からの制御信号を受信するための制御信号送受信部と、ＯＳＤ（Ｏｎ  Ｓｃｒｅｅｎ  Ｄｉｓｐｌａｙ）信号を生成するためのＯＳＤ信号生成部と、前記映像表示装置に制御信号を送受信すると共に前記映像表示装置へ映像／音声信号を出力するための接続端子とを備え、前記コンテンツ判別部によって再生ソースがオーディオデータファイルであるかどうかを判別し、前記コンテンツ判別部によって再生ソースがオーディオデータであると判別されたときには前記ＯＳＤ信号生成部によってオーディオデータファイルに関するＯＳＤ信号を、前記接続端子を介して前記映像表示装置に出力すると共に前記タイマ部によって時間の計測を開始し、前記タイマ部の計測時間が所定時間を経過したときに、前記制御信号出力部から表示オフ信号を、前記接続端子を介して前記映像表示装置に出力して前記映像表示装置の映像表示をオフするよう前記映像表示装置を制御し、前記映像表示装置の映像表示がオフした状態から、前記キー入力検出部によってキー入力が検出されたときには、前記制御信号出力部から表示オン信号を、前記接続端子を介して前記映像表示装置に出力して前記映像表示装置の映像表示をオンすると共に、前記ＯＳＤ信号生成部によって前記キー入力の動作指令、オーディオデータファイルの両方またはいずれか一方を表すＯＳＤ信号を、前記接続端子を介して出力して前記映像表示装置に所定時間表示するよう前記映像表示装置を制御することを特徴とする。
記録再生装置において、前記映像表示装置は、映像表示部と、前記映像表示部をオンオフするための映像表示オンオフ部と、前記制御信号を送受信すると共に前記映像／音声信号を入力するための接続端子とを有し、前記映像表示装置の接続端子を介して該記録再生装置から前記音楽再生モード信号を受信したときには、前記映像表示オンオフ部によって前記映像表示部をオフし、前記映像表示部の接続端子を介して前記音楽再生モード解除信号を受信したときには、前記映像表示オンオフ部によって映像表示をオンする。
記録再生装置において、前記記録再生装置および前記映像表示装置が有する接続端子は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠している接続端子とする。
記録再生装置において、前記制御信号は、前記接続端子で接続された機器間を相互に制御することが可能なＨＤＭＩ規格に準拠したＣＥＣ（Ｃｏｎｓｕｎｅｒ  Ｅｌｅｃｔｒｏｎｉｃｓ  Ｃｏｎｔｒｏｌ）とする。
記録性装置のシステム制御方法において、再生ソースのコンテンツ種別を判別するコンテンツ判別部と、リモコンまたは操作部からのキー入力を検出するキー入力検出部と、時間を計測するタイマ部と、制御信号を出力するための制御信号出力部と、制御信号を送信す
ると共に外部に接続された映像表示装置からの制御信号を受信するための制御信号送受信部と、ＯＳＤ（Ｏｎ  Ｓｃｒｅｅｎ  Ｄｉｓｐｌａｙ）信号を生成するためのＯＳＤ信号生成部と、前記映像表示装置に制御信号を送受信すると共に前記映像表示装置へ映像／音声信号を出力するための接続端子とを備え、前記コンテンツ判別部によって再生ソースがオーディオデータファイルであるかどうかを判別する第一のステップと、前記コンテンツ判別部によって再生ソースがオーディオデータであると判別されたときには前記ＯＳＤ信号生成部によってオーディオデータファイルに関するＯＳＤ信号を、前記接続端子を介して前記映像表示装置に出力すると共に前記タイマ部によって時間の計測を開始する第二のステップと、前記タイマ部の計測時間が所定時間を経過したときに、前記制御信号出力部から音楽再生モード信号を、前記接続端子を介して前記映像表示装置に出力して前記映像表示装置の映像表示をオフするよう前記映像表示装置を制御する第三のステップと、前記映像表示装置が音楽再生モードに移行した状態から、前記キー入力検出部によってキー入力が検出されたときには、前記制御信号出力部から音楽再生モード解除信号を、前記接続端子を介して前記映像表示装置に出力して前記映像表示装置の映像表示をオンすると共に、前記ＯＳＤ信号生成部によって前記キー入力の動作指令、オーディオデータファイルの両方またはいずれか一方を表すＯＳＤ信号を、前記接続端子を介して出力して前記映像表示装置に所定時間表示するよう前記映像表示装置を制御する第四のステップとを有することを特徴とする。
前記の通り構成することにより、外部に接続されている映像表示装置の消費電力を抑え、かつユーザからの操作指示があった場合には映像表示を行うように作用する。
【発明の効果】
【０００５】
請求項１に記載の発明によれば、記録再生装置において、再生するコンテンツがオーディオデータのみの場合には、外部に接続された映像表示装置の映像表示をオフするための制御信号である音声再生モード信号を送信して、映像表示装置の映像表示をオフして消費電力を抑えることが可能となる。また、コンテンツの再生を開始して、コンテンツ種別をオーディオデータのみであると判別してから直ぐに音声再生モード信号を送出せずに、所定時間経過後に音声再生モード信号を送出するように制御することで、オーディオデータの再生を開始してから所定時間のあいだは、オーディオデータに関するＯＳＤ表示を映像表示装置で行うことで、ユーザがオーディオデータの情報を確認することを可能にする。さらには、記録再生装置がオーディオデータのみを再生しており、外部に接続された映像表示装置の映像表示がオフされているときに、記録再生装置のリモコンや本体操作部からキー入力を検出した場合には、記録再生装置から音声再生モード解除信号を映像表示装置に送信して映像表示装置の映像表示をオンさせ、記録再生装置から出力されるキー入力による動作状態を表すＯＳＤ表示等を映像表示装置に所定時間表示することで、ユーザに記録再生装置の動作状態を知らせることが可能となる。
請求項２に記載の発明によれば、接続端子を介して外部に接続される映像表示装置に対して、該記録再生装置から音声再生モード信号を送信した場合には、該映像表示装置は映像表示をオフし、また音声再生モード解除信号を送信した場合には、該映像表示装置は映像表示をオンするよう制御することで該映像表示装置の消費電力を抑えると共に、該記録再生装置の動作に応じて映像表示のオンオフを行うことを可能とする。
請求項３に記載の発明によれば、記録再生装置および外部に接続される映像表示装置が有する接続端子が、ＨＤＭＩ規格に準拠していることによって、デジタル映像信号のブランキング期間にデジタル音声信号を多重化して音声伝送を行なうことが可能となる。また、デジタル映像信号をＲＧＢ信号の形態で伝送する他に、ＹＣｂＣｒ信号の形態またはそれより高画質なＹＰｂＰｒ信号の形態で伝送することが可能となる。また、ＵＳＢ（Ｕｎｉｖｅｒｓａｌ  Ｓｅｒｉａｌ  Ｂｕｓ）並みの小型のコネクタで接続することが可能とな
る。
請求項４に記載の発明によれば、ＨＤＭＩ規格に準拠したＣＥＣを用いて、ＨＤＭＩ規格に準拠した接続端子で接続される機器間で相互に動作状態を検知することが可能となる。また、ＨＤＭＩ規格に準拠した接続端子で接続される機器間で相互に各機器の動作を制御することが可能となる。
請求項５に記載の発明によれば、記録再生装置において、再生するコンテンツがオーディオデータのみの場合には、外部に接続された映像表示装置の映像表示をオフするための制御信号である音声再生モード信号を送信して、映像表示装置の映像表示をオフして消費電力を抑えることが可能となる。また、コンテンツの再生を開始して、コンテンツ種別をオーディオデータのみであると判別してから直ぐに音声再生モード信号を送出せずに、所定時間経過後に音声再生モード信号を送出するように制御することで、オーディオデータの再生を開始してから所定時間のあいだは、オーディオデータに関するＯＳＤ表示を映像表示装置で行うことで、ユーザがオーディオデータの情報を確認することを可能にする。さらには、記録再生装置がオーディオデータのみを再生しており、外部に接続された映像表示装置の映像表示がオフされているときに、記録再生装置のリモコンや本体操作部からキー入力を検出した場合には、記録再生装置から音声再生モード解除信号を映像表示装置に送信して映像表示装置の映像表示をオンさせ、記録再生装置から出力されるキー入力による動作状態を表すＯＳＤ表示等を映像表示装置に所定時間表示することで、ユーザに記録再生装置の動作状態を知らせることが可能となる。
【発明を実施するための最良の形態】
【０００６】
次に、図を参照しながら本発明の実施形態の説明を行う。図１は本発明に係る光ディスク再生装置とそれに接続される液晶テレビジョン受信装置のブロック図を表す。以下、この発明の実施の形態について図面を参照して詳細に説明する。この光ディスク再生装置１００は、例えばＤＶＤ等の光ディスク１０１がドライブ部１０２に装着されることにより、その記録データを読み取る。そして、このドライブ部１０２で読み取られたデータは、信号処理部１０３に供給されて、デジタル化処理、エラー訂正処理及び復号化処理等が順次施されて、デジタルの映像信号及び音声信号に復元される。また、ＯＳＤ信号生成部１１２は、ユーザの操作に応じて、現在の動作状況や光ディスク装置１００の各種設定を行うためのメニュー画面などを表示するためのキャラクター映像信号を生成し、信号処理部１０３に出力する。キャラクター映像信号を受けた信号処理部１０３は、光ディスク１０１からの映像情報にかえてキャラクター信号を出力するか、もしくは光ディスク１０１からの映像情報にキャラクター映像信号を重畳して映像情報を出力する。
その後、この信号処理部１０３で復元されたデジタルの映像信号及び音声信号は、ＨＤＭＩ送受信部１０４に供給されてＨＤＭＩ規格に準拠した形態に変換され、一点鎖線で表されるＤＶＤ  ＨＤＭＩ端子１１１を介して外部に出力される。このＤＶＤ  ＨＤＭＩ端子１１１は、映像データを出力するための映像出力端子１０５、音声データを出力するための音声出力端子１０６、及び外部に接続される機器と相互に制御を行うための制御信号を送受信するための制御入出力端子１０７から構成されている。
この光ディスク再生装置１００は、上記した再生動作を含むその全ての動作をＤＶＤ制御部１０８により統括的に制御されている。このＤＶＤ制御部１０８は、ＣＰＵ（Ｃｅｎｔｒａｌ  Ｐｒｏｃｅｓｓｉｎｇ  Ｕｎｉｔ）等を内蔵しており、光ディスク再生装置１００本体に設けられたスイッチ群であるＤＶＤ操作部１０９からの操作情報を受け、または、遠隔操作可能なＤＶＤリモコン１１０から送出された操作情報を、ＤＶＤ受光部１１１を介して受信し、その操作内容が反映されるように各部をそれぞれ制御している。
この場合、ＤＶＤ制御部１０８は、ＤＶＤメモリ部１１２を利用している。このメモリ部１１２は、主として、ＣＰＵが実行する制御プログラムを格納したＲＯＭ（Ｒｅａｄ  Ｏｎｌｙ  Ｍｅｍｏｒｙ）と、該ＣＰＵに作業エリアを提供するＲＡＭ（Ｒａｎｄｏｍ  Ａｃｃｅｓｓ  Ｍｅｍｏｒｙ）と、各種の設定情報及び制御情報等が格納される不揮発性メモリとを有している。
ここで、上記映像出力端子１０５、音声出力端子１０６及び制御入出力端子１０７は、それぞれ、ＨＤＭＩ規格に準拠した伝送路を介して、信号の受信装置となる液晶テレビジョン受信装置１２０に設けられた、一点鎖線で表されるテレビジョンＨＤＭＩ端子１３４に接続されている。このテレビジョンＨＤＭＩ端子１３４は、光ディスク装置１００のＨＤＭＩ端子１１１から出力される映像データを受けるための映像入力端子１２１、音声データを受けるための音声入力端子１２２及びテレビジョン受信装置１２０と光ディスク装置１００との間で相互に制御を行うための制御データを送受信するための制御入出力端子１２３で構成されている。
このうち、映像入力端子１２１に供給されたデジタルの映像データは、テレビジョンＨＤＭＩ送受信部１２４に供給されてＨＤＭＩ規格に変換される前のデジタル映像信号に戻された後、映像処理部１２５に供給されて表示に対応した形態に変換され、液晶パネル等でなる映像表示部１２６によって映像表示される。
また、上記音声入力端子１２２に供給されたデジタルの音声データは、ＨＤＭＩ送受信部１２４に供給されて、光ディスク再生装置のＨＤＭＩ送受信部１０４による変換前のデジタル音声信号に戻された後、音声処理部１２７に供給されて音声再生に対応した形態に増幅され、スピーカ１２８によって音声再生される。
また、テレビジョン制御部１３０は、液晶テレビジョン受信装置１２０本体に設けられたスイッチ群であるテレビジョン操作部１３１からの操作情報を受け、または、遠隔操作可能なテレビジョンリモコン１３２から送出された操作情報を、テレビジョン受光部１３３を介して受信し、その操作内容が反映されるように各部をそれぞれ制御している。テレビジョンメモリ部１２９は、主として、テレビジョン制御部内部に設けられるＣＰＵが実行する制御プログラムを格納したＲＯＭ（Ｒｅａｄ  Ｏｎｌｙ  Ｍｅｍｏｒｙ）と、該ＣＰＵに作業エリアを提供するＲＡＭ（Ｒａｎｄｏｍ  Ａｃｃｅｓｓ  Ｍｅｍｏｒｙ）と、ユーザが任意で行う画質調整値や音量調整値などの各種の設定情報及び制御情報等が格納される不揮発性メモリとを有している。
次に、図２はＨＤＭＩ規格に準拠した接続端子であるＨＤＭＩ端子のピン配置およびそれぞれのピンの信号名を表す。このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（Ｕｎｉｖｅｒｓａｌ  Ｓｅｒｉａｌ  Ｂｕｓ）並みの小型のＨＤＭＩコネクタで接続することが可能であること等々、種々の規定が盛り込まれている。
ＨＤＭＩ端子は、映像信号と音声信号だけではなく、ＨＤＭＩ端子で接続された互いの機器同士で通信するための信号を扱うことが可能である。現在電源がオンされているかどうかの情報を出力するためのホットプラグ端子２０１や、電源情報以外の機器の状態を出力するためや、一方の機器で他方の機器を制御するための信号を送るためのＣＥＣ端子２０２がある。このＣＥＣ端子は、電子機器間の電源制御などのコマンドを送受信するための端子であり、再生、早送り、スキップ、停止などの基本動作コマンドについては、異なる電子機器メーカーの製品間でも制御が可能となるように、ＨＤＭＩ規格によって標準とし
て定義されている。さらにＨＤＭＩ規格には、各電子機器メーカーが自由に定義できる拡張エリアが規格されており、制御プログラムを拡張することにより、各電子機器メーカー特有の制御コマンドで制御することが可能となる。本発明における実施形態では、ＨＤＭＩ規格に準拠して、光ディスク再生装置およびそれに接続される液晶テレビジョン受信装置における制御プログラムを拡張することによって、記録再生装置に対して行われる制御コマンドに応じて、液晶テレビジョン受信装置の映像表示をオンオフ制御することを実現している。
次に図３は、本発明に係る光ディスク装置と液晶テレビジョン受信装置における制御部の詳細を表す。図３を参照しながら、本発明における構成要件の働きを説明する。ＤＶＤ制御部１０８は、信号処理部（図１、１０３）に接続されており、信号処理部は光ディスク再生装置（図１、１００）が再生している記録媒体からの情報を処理する。コンテンツ判別部３０１は、信号処理部が処理している情報が音声情報のみであるかどうかを判別する。光ディスクに記録可能なコンテンツとして、ＤＶＤ規格に準拠した映像情報と音声情報、ＭＰＥＧ４（Ｍｏｖｉｎｇ  Ｐｉｃｔｕｒｅ  Ｅｘｐｅｒｔｓ  Ｇｒｏｕｐ４）やＤｉｖＸ（登録商標）といった圧縮規格に準拠した映像情報と音声情報、ＣＤ規格に準拠した音声情報、ＭＰ３などの圧縮規格に準拠した音声情報などがあるが、コンテンツ判別部３０１は、これらのコンテンツを判別し、音声情報のみであるかどうかを判別する。
タイマ部３０２は、コンテンツ判別部３０１が再生されているコンテンツが音声情報のみであると判別した時点から時間の計測を開始する。タイマ部３０２が時間の計測を開始してから所定の時間が経過すると、表示オンオフ信号出力部３０３はＤＶＤ  ＨＤＭＩ送受信部１０４および図示しないＤＶＤ  ＨＤＭＩ端子（図１、１１１）を介して、液晶テレビジョン受信装置（図１、１２０）に対して表示オフ信号を出力する。ＤＶＤキー入力判別部３０４は、ＤＶＤ受光部（図１、１１１）またはＤＶＤ操作部（図１、１０９）から制御操作が入力されたことを検出し、表示オンオフ信号出力部３０３はＤＶＤキー入力判別部３０４がキー入力を検出すると、ＤＶＤ  ＨＤＭＩ送受信部１０４および図示しないＤＶＤ  ＨＤＭＩ端子を介して、液晶テレビジョン受信装置（図１、１２０）に対して表示オン信号を出力する。前記音声再生モード信号および表示オン信号がＨＤＭＩ規格に準拠したＣＥＣとなる。
テレビジョン制御部１３０のバックライトオンオフ部３０５は、映像表示部（図１、１２６）に接続されている。ユーザからの液晶テレビジョン受信装置をオンオフする制御操作がテレビジョン操作部（図１、１３１）またはテレビジョンリモコン（図１、１３２）で行われ、次にテレビジョンキー入力検出部３０６を介して映像表示部の図示しない液晶モジュール内に設けられたバックライトのオンオフを制御する。液晶モジュールは、内部に液晶パネルとバックライトとを有し、バックライトは、インバータ回路から高電圧が供給されて点灯し、点灯によって生じた光が液晶パネルの背面から照射され、正面方向へ各色の液晶パネルを透過するようになっている。これにより、液晶モジュールが、画面から画像データに対応する映像、すなわち、映像信号に対応する映像を映し出し、映像表示部に映像が表示される。
また、バックライトオンオフ部３０５は、テレビジョンＨＤＭＩ端子（図１、１３４）およびテレビジョンＨＤＭＩ送受信部（図１、１２４）を介して、ＤＶＤ制御部１０８の表示オンオフ信号出力部３０３からの出力信号（表示オン信号または表示オフ信号）を受信する。バックライトオンオフ部３０５は、ＤＶＤ制御部１０８からの表示オフ信号を受信すると、バックライトをオフし、また、表示オン信号を受信すると、バックライトをオンするように制御を行う。
次に、図４は、本発明に係る光ディスク再生装置および液晶テレビジョン受信装置の動作
フローを表す。図４を参照しながら、本発明の動作説明を行なう。まず、光ディスク再生装置の電源が、ユーザの制御指令に従って、ＤＶＤリモコン（図１、１１０）もしくはＤＶＤ操作部（図１、１０９）を介してオンされる（ステップＳ４０１）。これと並行して、液晶テレビジョン受信装置の電源が、ユーザの制御指令に従って、テレビジョンリモコン（図１、１３２）またはテレビジョン操作部（図１、１３１）を介してオンされる（ステップＳ４２１）。それと同時に、バックライトオンオフ部（図３、３０５）によって、映像表示部（図１、１２６）に設けられた図示しないバックライトがオンされる（ステップＳ４２２）。次に光ディスク再生装置から出力される映像／音声情報を視聴するために、液晶テレビジョン受信装置内部の図示しないチューナなどの信号ソースから、外部入力に設定を行い、テレビジョンＨＤＭＩ端子（図１、１３４）に信号ソースの設定を行う（ステップＳ４２３）。本説明において、ステップＳ４０１とステップＳ４２１〜Ｓ４２３とを並行して行ったが、これらは直列に行われても、また、別々の時系列で行われても、本発明の本質から外れることはない。
次に、光ディスク再生装置に、ＤＶＤやＣＤなどのメディアが挿入され（ステップＳ４０２）、ユーザの制御指令に従って、ＤＶＤリモコンもしくはＤＶＤ操作部を介して再生が開始される（ステップＳ４０３）。なお、再生の開始は、メディアを挿入すると同時に自動的になされるように設計しても構わない。次に信号処理部（図１、１０３）がメディアを再生した情報の処理を開始し、信号処理部が処理した情報をもとに、ＤＶＤ制御部のコンテンツ判別部（図３、３０１）が再生された情報が音声データのみが含まれるオーディオデータファイルであるかどうかを判別する（ステップＳ４０４）。
ステップＳ４０４において、オーディオデータファイルであると判別された場合には、光ディスク装置のＯＳＤ信号生成部（図１、１１２）から、オーディオデータファイルに含まれる音楽の曲数や、各音楽の再生時間などを表すキャラクター映像信号が生成され、次いで信号処理部（図１、１０３）に入力され、信号処理部からＤＶＤ  ＨＤＭＩ送受信部（図１、１０４）およびＤＶＤ  ＨＤＭＩ端子の映像出力端子（図１、１０５）を介して、液晶テレビジョン受信装置に出力される（ステップＳ４０５）。液晶テレビジョン受信装置は、光ディスク再生装置から出力されたキャラクター映像信号を、テレビジョンＨＤＭＩ端子（図１、１３４）およびテレビジョンＨＤＭＩ送受信部（図１、１２４）を介して映像処理部（図１、１２５）に入力し、オーディオデータファイルに含まれる音楽の曲数や、各音楽の再生時間などを表すキャラクター映像信号のみを映像表示部（図１、１２６）に表示する。
続いて、ＤＶＤ制御部のタイマ部（図３、３０２）が時間の計測を開始し、所定時間、本実施形態においては、５秒経過したかどうかを監視する（ステップＳ４０６）。
また、ステップＳ４０４において、再生されたメディアがＤＶＤなどの映像データを含むデータファイルであって、オーディオデータファイルではないと判断された場合には、信号処理部から処理された映像／音声データが出力され、ＤＶＤ  ＨＤＭＩ送受信部およびＤＶＤ  ＨＤＭＩ端子の映像出力端子および音声出力端子（図１、１０６）を介して液晶テレビジョン受信装置に出力される。液晶テレビジョン受信装置は、光ディスク再生装置から出力された映像／音声データを、テレビジョンＨＤＭＩ端子の映像入力端子（図１、１２１）と音声入力端子（図１、１２２）。またテレビジョンＨＤＭＩ送受信部（図１、１２４）を介して映像処理部（図１、１２５）に入力し、再生された映像／音声データを映像表示部（図１、１２６）に表示する。
次に、ステップＳ４０６において、タイマ部が時間を計測開始してから５秒経過したあと、ＤＶＤ制御部の表示オンオフ信号出力部（図３、３０３）から表示オフ信号が出力される（ステップＳ４０７）。出力された表示オフ信号は、ＤＶＤ  ＨＤＭＩ送受信部および
ＤＶＤ  ＨＤＭＩ端子の制御入出力端子（図１、１０７）を介して、液晶テレビジョン受信装置に出力される。液晶テレビジョン受信装置は、テレビジョンＨＤＭＩ端子の制御入出力端子（図１、１２３）およびテレビジョンＨＤＭＩ送受信部（図１、１２４）を介して表示オフ信号を受け取り、テレビジョン制御部のバックライトオンオフ部（図３、３０５）は液晶テレビジョン受信装置の映像表示部のバックライトをオフする（ステップＳ４２５）。
ステップＳ４０４でオーディオデータファイルであると判別してから、ステップＳ４０６において、タイマ部が時間の計測を開始して５秒経過してから表示オフ信号を出力するのは、オーディオデータファイルに関する情報である音楽の曲数や、各音楽の再生時間などを表すキャラクター映像信号のみを映像表示部にしばらく表示して、ユーザにオーディオデータファイルに関する情報を知らせるためである。
続いて、表示オフ信号によって液晶テレビジョン受信装置のバックライトがオフされた状態において、ＤＶＤキー入力検出部はＤＶＤ操作部またはＤＶＤリモコンから新たにユーザからの制御指令があるかどうかをＤＶＤ制御部のＤＶＤキー入力検出部（図３、３０４）が監視を行う（ステップＳ４０８）。ステップＳ４０８において、ＤＶＤキー入力検出部がキー入力を検出すると、表示オンオフ信号出力部（図３、３０３）から表示オン信号が出力される（ステップＳ４０９）。
表示オンオフ信号出力部から出力された表示オン信号は、ＤＶＤ  ＨＤＭＩ送受信部およびＤＶＤ  ＨＤＭＩ端子の制御入出力端子を介して、液晶テレビジョン受信装置に出力される。液晶テレビジョン受信装置は、テレビジョンＨＤＭＩ端子の制御入出力端子およびテレビジョンＨＤＭＩ送受信部を介して表示オン信号を受け取り、テレビジョン制御部のバックライトオンオフ部は液晶テレビジョン受信装置の映像表示部のバックライトをオンする（ステップＳ４２７）。
続いて、ステップＳ４０８で検出されたキー入力の制御指令を表すキャラクター映像信号や、その制御指令によって再生されるオーディオデータに関する情報、例えば再生時間などを表すキャラクター映像信号がＯＳＤ信号生成部によって生成され、次いで信号処理部に入力され、信号処理部からＤＶＤ  ＨＤＭＩ送受信部およびＤＶＤ  ＨＤＭＩ端子の映像出力端子を介して、液晶テレビジョン受信装置に出力される（ステップＳ４１０）。液晶テレビジョン受信装置は、光ディスク再生装置から出力されたキャラクター映像信号を、テレビジョンＨＤＭＩ端子およびテレビジョンＨＤＭＩ送受信部を介して映像処理部に入力し、光ディスク再生装置から出力されるキャラクター映像信号を映像表示部に表示する。
ステップＳ４０９において、表示オン信号を出力したのち、コンテンツ判別部が再度、オーディオデータファイルが再生されるかを判別し（ステップＳ４１１）、オーディオデータファイルが再生されると判別すると、再びステップＳ４０５に戻り、５秒経過することを監視する処理に入る。
なお、液晶テレビジョン受信装置において、ステップＳ４２５においてバックライトオフした状態で、テレビジョンキー入力検出部（図１、３０６）が、テレビジョン操作部（図１、１３１）またはテレビジョンリモコン（図１、１３２）を介してユーザからのキー入力を検出した場合には、バックライトオンオフ部によってバックライトをオンする（ステップＳ４２７）。
従来技術においては、映像表示装置が、記録再生装置から出力される信号に映像信号が存在するかどうかを判別して、映像信号が存在しない場合には、映像表示をオフしていたた
め、その後の記録再生装置の制御動作とは無関係に映像表示をオフしていた。前述のとおり、本発明に係る光ディスク再生装置と液晶テレビジョン受信装置は、ＨＤＭＩ規格に準拠して制御プラグラムを拡張しており、また、ＣＥＣ規格に準拠した制御入出力端子によって接続することによって、記録再生装置の制御動作に応じて、映像表示装置の映像表示のオンオフを制御することを可能としている。すなわち、光ディスク再生装置がオーディオデータファイルを再生しているときには、音声再生モードに移行して液晶テレビジョン受信装置のバックライトをオフして液晶テレビジョン受信装置の消費電力を抑え、かつ、音声再生モード時に光ディスク再生装置をユーザが操作を行った場合には、音声再生モードを解除して、液晶テレビジョン受信装置のバックライトをオンし、所定時間（本実施形態においては５秒間）映像表示を行うことで、ユーザが行った操作の制御内容や、その制御によって動作した状態を映像表示部に表示することで、ユーザに現在の再生状態および光ディスク再生装置の動作状態を知らせることが可能となる。
また、本実施形態において、オーディオデータファイルであると判別してから表示オフ信号を出力して映像表示をオフするまでの時間を５秒としたが、ユーザの所望する時間に適宜設定変更可能なように設計することも可能である。
また、液晶テレビジョン受信装置の映像表示部のオンオフ制御を、光ディスク再生装置からの表示オン信号または表示オフ信号を優先して行うか、表示オン信号または表示オフ信号を無効にして、液晶テレビジョン受信装置本体の制御動作を維持するかを、ユーザが任意で液晶テレビジョン受信装置を設定可能なように設計することも可能である。
また、光ディスク再生装置の再生が開始された時点で、液晶テレビジョン受信装置の外部入力を自動的にＨＤＭＩ端子に切り換えるなどの制御をＣＥＣによって行うよう設計することも可能である。
また、本実施形態においては、記録再生装置として、光ディスク再生装置を例として説明を行ったが、携帯型の高容量フラッシュメモリを搭載するメディアプレーヤなど、映像／音声データを記録再生可能であればどのような電子機器にも適用可能である。また、外部に接続される映像表示装置として液晶テレビジョン受信装置を例として説明を行ったが、映像／音声データを表示／出力可能であればどのような電子機器でも適用可能である。
【産業上の利用可能性】
【０００７】
本発明は、制御入出力端子を有する記録再生装置に好適であり、特に前記制御入出力端子を介して外部に接続される映像表示装置の制御を行うことが可能な記録再生装置に対して好適である。
【図面の簡単な説明】
【０００８】
【図１】本発明に係る光ディスク再生装置とそれに接続される液晶テレビジョン受信装置のブロック図を表す。
【図２】ＨＤＭＩ規格に準拠した接続端子であるＨＤＭＩ端子のピン配置およびそれぞれのピンの信号名を表す。
【図３】本発明に係る光ディスク装置と液晶テレビジョン受信装置における制御部の詳細を表す。
【図４】本発明に係る光ディスク再生装置および液晶テレビジョン受信装置の動作フローを表す。
【図５】従来技術のブロック図を表す。
【符号の説明】
【０００９】
１００  記録再生装置（光ディスク再生装置）
１０４  制御信号送受信部
１１１  制御信号を送受信すると共に映像／音声信号を出力するための接続端子
１１２  ＯＳＤ信号生成部
１２０  映像表示装置（液晶テレビジョン受信装置）
１２６  映像表示部
１３４  制御信号を送受信すると共に映像／音声信号を入力するための接続端子
３０１  コンテンツ判別部
３０２  タイマ部
３０３  制御信号出力部（表示オンオフ信号出力部）
３０４  キー入力検出部（ＤＶＤキー入力検出部）
３０５  表示オンオフ部（バックライトオンオフ部）
【図４】
2009118251.tif 000003
【図５】
2009118251.tif 000004
【図１】
2009118251.tif 000005
【図２】
2009118251.tif 000006
【図３】
2009118251.tif 000007